(57)【要約】【課題】第三者から見られた際の見え方に違和感が少なく、加工工程も少ないマイナス度数の眼鏡用の前駆体レンズとその前駆体レンズを加工した眼鏡用レンズ及びマイナス度数の眼鏡用の前駆体レンズの加工方法を提供すること。【解決手段】材料ブロックのレンズ裏面側に横方向が縦方向よりも長い玉型形状１９を設定し、その裏面に対して、装用者に関して処方されたマイナス強度のレンズとしての光学性能を発揮できる凹面形状（第１の形状）と、稜線１８が玉型形状の耳側の内側でかつレンズ使用領域よりも外側において外に向かって凹とならないカーブ形状となり、稜線１８のカーブの曲率が玉型形状１９の上下幅の中央付近において最も大きくなり、稜線１８からレンズ周縁に向かって徐々に厚さが薄くなるような形状（第２の形状）が、第１の形状に合成されているようにした。【選択図】図３
2020161878.tif 000002
【特許請求の範囲】
【請求項１】
支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズであって、
レンズ裏面側に横方向が縦方向よりも長い玉型形状が設定され、その裏面に対して、
装用者に関して処方されたマイナス度数のレンズとしての光学性能を発揮できる凹面形状（以下、第１の形状）が設定され、
レンズ中心又は中心付近からレンズ周縁に向かう断面形状において最も厚くなる位置をつないだ線（以下、稜線とする）が、前記玉型形状の耳側の内側でかつレンズ使用領域よりも外側において、外に向かって凹とならないカーブ形状となり、前記稜線のカーブの曲率が前記玉型形状の上下幅の中央付近において最も大きくなるとともに、前記玉型形状の内側で前記稜線からレンズ周縁に向かって徐々に厚さが薄くなるような形状（以下、第２の形状）が、前記第１の形状に合成されていることを特徴とするマイナス度数の眼鏡用の前駆体レンズ。
【請求項２】
前記稜線が前記玉型形状の鼻側における前記玉型形状の内側又は外側の位置でかつレンズ使用領域よりも外側において外に向かって凹とならないカーブ形状であって、前記玉型形状の内側で前記稜線からレンズ周縁に向かって徐々に厚さが薄くなるような形状（以下、第３の形状）が、前記第１の形状に合成されていることを特徴とする請求項１に記載のマイナス度数の眼鏡用の前駆体レンズ。
【請求項３】
耳側の前記玉型形状の上下幅の中央付近の前記稜線のカーブの曲率よりも鼻側の前記玉型形状の上下幅の中央付近の前記稜線のカーブの曲率は小さいことを特徴とする請求項２に記載のマイナス度数の眼鏡用の前駆体レンズ。
【請求項４】
前記第２の形状の前記稜線と前記第３の形状の前記稜線は接続されていないことを特徴とする請求項２又は３に記載のマイナス度数の眼鏡用の前駆体レンズ。
【請求項５】
前記第２の形状の前記稜線と前記第３の形状の前記稜線はリング状に接続され、前記稜線は前記玉型形状の上下方向では前記玉型形状の外側に配置されるようにしたことを特徴とする請求項２又は３に記載のマイナス度数の眼鏡用の前駆体レンズ。
【請求項６】
支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズであって、
レンズ裏面側に横方向が縦方向よりも長い玉型形状が設定され、その裏面に対して、
装用者に関して処方されたマイナス度数のレンズとしての光学性能を発揮できる凹面形状（以下、第１の形状）が設定され、
稜線が、前記玉型形状の耳側と鼻側の内側でかつレンズ使用領域よりも外側において外に向かって凹とならないカーブ形状となり、前記玉型形状の内側で前記稜線からレンズ周縁に向かって徐々に厚さが薄くなるような形状（以下、第２の形状）が、前記第１の形状に合成され、
前記玉型形状の耳側を通る前記稜線と鼻側を通る前記稜線のそれぞれのカーブの平均的な曲率を比較した際に耳側の前記稜線のカーブの曲率よりも鼻側の前記稜線のカーブの曲率が小さいことを特徴とするマイナス度数の眼鏡用の前駆体レンズ。
【請求項７】
耳側の前記稜線のカーブの曲率が前記玉型形状の上下幅の中央付近において最も大きいことを特徴とする請求項６に記載のマイナス度数の眼鏡用の前駆体レンズ。
【請求項８】
前記第２の形状において耳側に配置された前記稜線と鼻側に配置された前記稜線は接続されていないことを特徴とする請求項６又は７に記載のマイナス度数の眼鏡用の前駆体レンズ。
【請求項９】
前記第２の形状の前記稜線はリング状に構成され、前記稜線は前記玉型形状の上下方向では前記玉型形状の外側に配置されることを特徴とする請求項６又は７に記載のマイナス度数の眼鏡用の前駆体レンズ。
【請求項１０】
前記レンズ基材の幾何中心を中心とする座標を想定し、前記座標において耳側の水平方向を０度とした際に、前記稜線は上又は下に方向に３０〜６０度の角度領域で前記玉型形状の輪郭の線と交差することを特徴とする請求項１〜９のいずれかに記載のマイナス度数の眼鏡用の前駆体レンズ。
【請求項１１】
前記稜線のカーブ形状を中心点又は中心点付近の基準となる点から稜線上の各点までの線分の長さの２階差分の２乗和を最小にする条件で最適化するようにしたことを特徴とする請求項１〜１０のいずれかに記載のマイナス度数の眼鏡用の前駆体レンズ。
【請求項１２】
前記稜線のカーブは外に向かって凹とならない形状であることを特徴とする請求項１〜１１のいずれかに記載のマイナス度数の眼鏡用の前駆体レンズを前記玉型形状に加工して得られる眼鏡用レンズ。
【請求項１３】
前記第２の形状において前記稜線は前記玉型形状の外側でも前記稜線からレンズ周縁に向かって徐々に厚さが薄くなるような形状とされていることを特徴とする請求項１〜１２のいずれかに記載のマイナス度数の眼鏡用の前駆体レンズを前記玉型形状に加工して得られる眼鏡用レンズ。
【請求項１４】
請求項１〜１３のいずれかに記載のマイナス度数の眼鏡用の前駆体レンズを前記玉型形状に加工して得られる眼鏡用レンズ。
【請求項１５】
支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズの加工方法であって、
レンズ裏面側に横方向が縦方向よりも長い玉型形状を設定し、
前記レンズ基材の裏面に、
装用者に関して処方されたマイナス度数のレンズとしての光学性能を発揮できる凹面形状（以下、第１の形状）と、
稜線が、前記玉型形状の耳側の内側でかつレンズ使用領域よりも外側において外に向かって凹とならないカーブ形状となり、前記稜線のカーブの曲率が前記玉型形状の上下幅の中央付近において最も大きくなり、前記玉型形状の内側で前記稜線からレンズ周縁に向かって徐々に厚さが薄くなるような形状（以下、第２の形状）とを合成した面を加工するようにしたことを特徴とするマイナス度数の眼鏡用の前駆体レンズの加工方法。
【請求項１６】
前記稜線が前記玉型形状の鼻側の内側でかつレンズ使用領域よりも外側において外に向かって凹とならず、前記玉型形状の内側で前記稜線からレンズ周縁に向かって徐々に厚さが薄くなるようなカーブ形状（以下、第３の形状）を、前記第１の形状に合成するようにしたことを特徴とする請求項１５に記載のマイナス度数の眼鏡用の前駆体レンズの加工方法。
【請求項１７】
耳側の前記玉型形状の上下幅の中央付近の前記稜線のカーブの曲率よりも鼻側の前記玉型形状の上下幅の中央付近の前記稜線のカーブの曲率が小さくなるようにしたことを特徴とする請求項１６に記載のマイナス度数の眼鏡用の前駆体レンズの加工方法。
【請求項１８】
支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズの加工方法であって、
レンズ裏面側に横方向が縦方向よりも長い玉型形状を設定し、
前記レンズ基材の裏面に、
装用者に関して処方されたマイナス度数のレンズとしての光学性能を発揮できる凹面形状（以下、第１の形状）と、
稜線が、前記玉型形状の耳側と鼻側の内側でかつレンズ使用領域よりも外側において外に向かって凹とならないカーブ形状となり、前記玉型形状の内側で前記稜線からレンズ周縁に向かって徐々に厚さが薄くなるような形状（以下、第２の形状）とを合成し、その際に前記玉型形状の耳側を通る前記稜線と鼻側を通る前記稜線のそれぞれのカーブの平均的な曲率を比較した際に耳側の前記稜線のカーブの曲率よりも鼻側の前記稜線のカーブの曲率が小さくなるようにしたことを特徴とするマイナス度数の眼鏡用の前駆体レンズの前駆体レンズの加工方法。
【請求項１９】
耳側の前記稜線のカーブの曲率が前記玉型形状の上下幅の中央付近において最も大きくなるように加工することを特徴とする請求項１８に記載のマイナス度数の眼鏡用の前駆体レンズの加工方法。
【請求項２０】
前記稜線のカーブ形状を中心点又は中心点付近の基準となる点から稜線上の各点までの線分の長さの２階差分の２乗和を最小にする条件で最適化するようにしたことを特徴とする請求項１５〜１９のいずれかに記載のマイナス度数の眼鏡用の前駆体レンズの加工方法。
【発明の詳細な説明】
【技術分野】
【０００１】
本発明はマイナス強度の眼鏡用の前駆体レンズ、眼鏡用レンズ及びマイナス強度の眼鏡用の前駆体レンズの加工方法に関するものである。
【背景技術】
【０００２】
従来からマイナス強度の眼鏡用レンズにおいてはレンズ裏面のレンズ使用領域（レンズ有効領域）の外側に面取り加工を施している。面取り加工はレンズの不要な部分の除去であり突起していると欠損しやすいという物理的な理由もあるが、主としてレンズ自体の美観と、特に厚いレンズを使用している眼鏡使用者において自分と対面している第三者にいかにも厚いレンズを使用しているという印象を与えないようにすることを主眼に行われている。そのようなマイナス強度の眼鏡用の前駆体レンズの面取り加工の従来技術として、例えば、特許文献１や特許文献２を挙げる。特許文献１の図２にはレンズ使用領域の外側に面取り加工して面取り部１２及びカット部１３を形成するようにしている。また、特許文献２ではその図７に示すように前駆体レンズ（材料ブロック１４）の状態からＮＣ（Numerical Control）装置にて切削あるいは研削にて丸レンズ１１を作製し、更に何度かに分けて面取り加工して丸レンズ１１を作製するものである。
【先行技術文献】
【特許文献】
【０００３】
【特許文献１】特開２００２−２３９８８２号公報  図２
【特許文献２】特開２００９−２０８１７５号公報  図７
【発明の概要】
【発明が解決しようとする課題】
【０００４】
ところが、特許文献１のような面取り加工は、レンズ使用領域の外側のすべてに面取り加工をするという発想である。しかし、玉型形状が横長となるマイナスレンズではレンズフレーム内の眼に近い部分、例えば眼のすぐ上部やすぐ下部のフレーム位置から面取り加工が開始されることになってしまうため、第三者から見られた際の見え方に違和感を感じてしまう可能性がある。また、特許文献２のような面取り加工では、何度かに分けて面取り加工しなければならず、また何度かに分けての面取り加工によって面と面との接合部に稜線ができてしまうため、やはり第三者から見られた際の見え方に違和感を感じてしまう可能性がある。また、何度かに分けて面取りする必要があるため加工工程も増えてしまう。
玉型形状が横長となるマイナスレンズではその特徴から耳側と鼻側は幾何中心から距離があるため大きく面取り加工を行うことがよい。その場合に耳側ではレンズが厚いとその厚みを他者から見られやすく美観上好ましくないという特徴がある。一方、鼻側ではレンズの厚みは見られないもののレンズを通した顔の歪みが他者から見られるという特徴がある。そのため、それらを意識した面取り加工が望ましい。
本発明は、このような従来の技術に存在する問題点に着目してなされたものである。その目的は、第三者から見られた際の見え方に違和感が少なく、加工工程も少ないマイナス度数の眼鏡用の前駆体レンズとその前駆体レンズを加工した眼鏡用レンズ及びマイナス度数の眼鏡用の前駆体レンズの加工方法を提供することにある。
【課題を解決するための手段】
【０００５】
上記課題を解決するための第１の手段として、支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズであって、レンズ裏面側に横方向が縦方向よりも長い玉型形状が設定され、その裏面に対して、装用者に関して処方されたマイナス度数のレンズとしての光学性能を発揮できる凹面形状（以下、第１の形状）が設定され、レンズ中心又は中心付近からレンズ周縁に向かう断面形状において最も厚くなる位置をつないだ線（以下、稜線とする）が、前記玉型形状の耳側の内側でかつレンズ使用領域よりも外側において外に向かって凹とならないカーブ形状となり、前記稜線のカーブの曲率が前記玉型形状の上下幅の中央付近において最も大きくなり、前記稜線からレンズ周縁に向かって徐々に厚さが薄くなるような形状（以下、第２の形状）が、前記第１の形状に合成されているようにした。
このように玉型形状の上下幅の中央付近で最も稜線のカーブの曲率が大きな前駆体レンズでは、カーブが玉型形状の中央付近から上下に離れるにつれてカーブはなだらかになって稜線が玉型形状のレンズ使用領域の内側には向かわずに玉型形状の外方向に向かうこととなる。つまり、横に長い玉型形状が設定された前駆体レンズにおいて、レンズ中心から離間した耳側寄りの位置においてレンズ使用領域の外側に広範囲に面取り加工を施すことができるため、第三者から見られた際の見え方として違和感が少なくなる。【０００６】
「レンズ基材」は、ガラスや樹脂素材からなる透明なブロック体であり、一般に表裏いずれかを加工面として加工ツールで切削あるいは研削して前駆体レンズを作製する。
「前駆体レンズ」は、業界用語として「丸レンズ」とも呼ばれるユーザーの度数が設定されている円形又は楕円形の外周のレンズであり、ユーザーが選択したレンズフレーム形状と対応する玉型形状に加工される前のレンズである。
「加工ツール」は、例えばＮＣ旋盤装置、ＣＡＤ・ＣＡＭ装置等がよい。これらの装置において加工データを入力してプログラムによってコンピュータを制御することで加工することがよい。
レンズ基材を加工して前駆体レンズを作製する際にはレンズ基材の回転中心方向に対して接近あるいは離間するように加工ツールをレンズ基材に対して相対的に移動させる。その動きは同心円状となる。同心円状の軌跡は全体としては有端状のらせん状の一周分の軌跡であり、ほぼ円形である。一方、第１の形状と第２の形状の境界線は必ずしもそのような加工ツールの同心円状と一致するものではないため、加工ツールは境界線と交差する際に大きく前後に移動することとなる。
「玉型形状」は、レンズフレームに嵌め込まれるレンズの形状の業界用語であり、フレームに応じて加工する形状である。ここではレンズ裏面に将来の必要なレンズ位置として設定される形状データとなる。
「レンズ使用領域」は、玉型形状の内部領域であって玉型形状外縁に寄った斜め方向からの光線が眼に届かないためレンズとして機能しない領域を除外した部分をいう。この領域は玉型形状外縁にあるもののレンズの度数と玉型形状によって一定ではなく幅がある。例えば、レンズフレーム内の眼に近い部分では、０．５ｍｍ又はそれより小さい距離となる。一方、強い度数で、レンズフレーム内の眼に遠い部分（たとえば耳側の端）では、３ｍｍほどになる場合もある。
「光学性能を発揮できる凹面形状（第１の形状）」とは、本発明ではマイナス度数のレンズとして、ユーザー固有の度数を発揮させられる形状である。乱視度数が入っていたり老視用の累進屈折面が形成されていてもよい。眼鏡用レンズは基本形状はメニスカスレンズであることが多いので、その場合には表面は凸面となり裏面は凹面となる。表面を平面に構成するようにしてもよい。その場合にも裏面は凹面となる。
「第２の形状」において、稜線は耳側の内側でかつレンズ使用領域よりも外側において外に向かって凹とならないカーブである。つまり、稜線は凸状の湾曲線や直線からなるカーブから構成される。本発明では直線は曲率０のカーブと理解される。また、稜線は少なくとも玉型形状内の耳側において連続的である必要があるが、レンズ基材の全域で必要なわけではない。例えば、玉型形状の上下位置では稜線が途切れるように第１の形状に合成されていてもよい。
また、カーブの曲率は玉型形状の上下幅の中央付近において最も大きくなるような構成である。これは耳側の玉型形状内において稜線が玉型形状の上下幅の中央付近を頂点とした曲率が変化するカーブで構成されることを意味する。そのため、例えば「最も大きくなる」という概念のない等曲率のみ（例えば円弧の一部）で構成されるような形状は含まない。玉型形状の上下幅の中央付近とはアイポイントが上下幅の中央付近に存在する場合にはアイポイントを含む領域であることがよい。【０００７】
カーブの曲率が玉型形状の上下幅の中央付近において最も大きくなる場合としては、自由曲線でもよいが、シンプルな例としては例えば図１８（ａ）〜（ｄ）に示すような楕円の一部、放物線の一部、双曲線の一部のような形状でもよい。図１８（ａ）は楕円の長径の端が玉型形状の上下幅の中央付近に配置される例である。カーブの曲率が最も大きい位置を境として上下で鏡像対象な形状である。同（ｂ）は（ａ）の楕円の長径の端位置から下方側のカーブの曲率を小さくした場合（つまり上下の延出部分の曲率が異なる場合）である。（ａ）とは異なり鏡像対象ではない形状である。（ｃ）は玉型形状の上下幅の中央付近を極値とする双曲線のカーブの例である。（ｄ）は玉型形状の上下幅の中央付近を極値とする放物線（二次曲線）のカーブの例である。（ｃ）（ｄ）ともに極値を境として上下で鏡像対象な形状であるが、非対称としてもよい。また、このようなカーブ形状を組み合わせるようにしてもよい。これらはいずれも玉型形状の上下寄りで玉型形状の上下縁に沿って延出される形状となる。
また、稜線は仮想的な玉型形状の輪郭線と交差し、レンズ裏面に凸状に隆起する。そして、稜線の断面形状として少なくとも玉型形状内においては稜線からレンズ周縁に向かって徐々に厚さが薄くなる。このように稜線からレンズ周縁に向かって徐々に厚さが薄くすることで非使用領域を薄くすることができる。玉型内部に含まれない部分においても稜線を明瞭にしてもよく、逆に頂点を極めてなだらかにして（丸みを大きく緩やかにつけて）稜線をはっきりさせないようにすることもできる。
稜線は立体的にレンズ裏面に凸状に隆起するが、この場合には少なくともレンズの使用領域から非使用領域に出た部分において丸みをつけることがよい。レンズが最も厚くなる部分が丸いほうが、特定の部位が目立たないため外観が美しく感じられる。左右の左右眼の度数に違いがある場合には稜線位置がわかりにくいので左右の稜線の位置が違うとの苦情がなくなる。
但し、主観的には稜線に角（カド）があるほうが格好良く感じるということも考えられる。また、稜線に丸みをつけると稜線と玉型端部との位置関係がわかりにくくなるが、角張っていると玉型加工後に耳側および鼻側の玉型の端との間隔（位置関係）が明瞭となるメリットがある。【０００８】
また、カーブの曲率を玉型形状内の耳側の上下幅の中央付近において最も大きくなるように加工することは、レンズの加工上意味がある。わかりやすく説明するために、逆にカーブの曲率を玉型形状内の耳側の上下幅の中央付近において最も小さくなる場合を比較として説明する。
図２０に示すように、カーブの曲率を玉型形状内の耳側の上下幅の中央付近において最も小さくした稜線１０１を考える。稜線１０１は玉型形状内において耳側の上下位置で玉型形状に沿って曲げて（曲率を大きくして）、玉型形状内で面取りする領域を確保するようにしている。このような稜線のカーブであると、玉型と稜線の交差する角度が浅くなる。すると、わずかな加工位置ズレにより玉型のエッジの形が、予定された形状から大きく変わってしまうこととなる。また、レンズを加工する加工ツールは円を描いて移動するため、このような形状では加工ツールの軌道と稜線１０１の交差する角度が深い（交差角度が直角に近くなる）部分ができる。そのような場合、加工ツールが稜線１０１の外側と稜線１０１の内側の境界を深い角度で移動することになり、より短い時間で急激にレンズ面に対して接離する方向となる加工ツールの進退方向の座標が変化することになる。つまり加工ツールの加工における加速度が大きくなることから、加工ツールを駆動するモータへの負荷が増大することとなってしまい、よくない。
尚、これら用語の定義は以下の手段においても同様である。【０００９】
また、第２の手段として、前記稜線が前記玉型形状の鼻側における前記玉型形状の内側又は外側の位置でかつレンズ使用領域よりも外側において外に向かって凹とならないカーブ形状であって、前記玉型形状の内側で前記稜線からレンズ周縁に向かって徐々に厚さが薄くなるような形状（以下、第３の形状）が、前記第１の形状に合成されているようにした。
これによって、横に長い玉型形状が設定された前駆体レンズにおいて、レンズ中心から離間した鼻側寄りの位置においても面取り加工を施すことができる。このように、鼻側寄りの位置において面取りすることでレンズが厚くなって鼻に当たるような不具合が解消できる。「玉型形状の鼻側における前記玉型形状の内側又は外側の位置」とあるため、このカーブ形状は玉型形状の内側になく外側にある場合も含む。
また、第３の手段として、耳側の前記玉型形状の上下幅の中央付近の前記稜線のカーブの曲率よりも鼻側の前記玉型形状の上下幅の中央付近の前記稜線のカーブの曲率を小さくした。
耳側ではなるべく広範囲に面取り加工することが第三者からレンズを見られた際の美観の観点から好ましい。しかし、鼻側は第三者からレンズを見られるということはなく、面取り加工をするとその面取りした面を通して第三者から見られた際に顔が変形して目視されかねない。そのため、耳側よりも上下幅の中央付近の稜線のカーブの曲率を小さくすることで耳側ほど広範囲に面取り加工しないようにするというものである。鼻側の稜線のカーブの曲率は稜線全域での最小値をとることがよい。【００１０】
また、第４の手段として、前記第２の形状の前記稜線と前記第３の形状の前記稜線が接続されていないようにした。
第２の形状の稜線と第３の形状の稜線、つまり、耳側の稜線と鼻側の稜線は接続されておらず各々独立してカーブ形状を構成するようになっている。この場合には加工は面倒であるものの、一方の稜線が他方の稜線のカーブ形状に拘束されないため、それぞれの稜線の形状に裕度ができるため、耳側と鼻側の様々な面取り加工に対応可能となる。
また、第５の手段として、前記第２の形状の前記稜線と前記第３の形状の前記稜線はリング状に接続され、前記稜線は前記玉型形状の上下方向では前記玉型形状の外側に配置されるようにした。
ここで稜線の形状がリング状ではないとすると、加工ツールの軌道がレンズ前駆体に対して面を描いて一周する間に、進退方向（レンズ面に対して接離する方向）の向きを変える回数が増えることとなって、加工ツールの進退方向に駆動するモータへの負荷が増大するため加工しにくくなる。これによって、稜線の形状がリング状ではない場合と比較してレンズ面の加工がしやすくなる。
「上下」とは、眼鏡装用者がその玉型のフレームを用いた眼鏡を装用して、自然な姿勢（顔は正面を向いて、頭頂部が上を向いた状態）における上下をいう。【００１１】
また第６の手段として、支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズであって、レンズ裏面側に横方向が縦方向よりも長い玉型形状が設定され、その裏面に対して、装用者に関して処方されたマイナス度数のレンズとしての光学性能を発揮できる凹面形状（以下、第１の形状）が設定され、稜線が、前記玉型形状の耳側と鼻側の内側でかつレンズ使用領域よりも外側において外に向かって凹とならないカーブ形状となり、前記玉型形状の内側で前記稜線からレンズ周縁に向かって徐々に厚さが薄くなるような形状（以下、第２の形状）が、前記第１の形状に合成され、前記玉型形状の耳側を通る前記稜線と鼻側を通る前記稜線のそれぞれのカーブの平均的な曲率を比較した際に耳側の前記稜線のカーブの曲率よりも鼻側の前記稜線のカーブの曲率が小さくなるようにした。
これによって、横に長い玉型形状が設定された前駆体レンズにおいて、特にレンズ中心から離間した耳側寄りと鼻側寄りの位置においてそれぞれ面取り加工を施すことができる。耳側ではなるべく広範囲に面取り加工することが第三者からレンズを見られた際の美観の観点から好ましい。しかし、鼻側では第三者からレンズを見られるということはなく、むしろ面取り加工をするとその面取りした面を通して第三者から見られた際に顔が変形して目視されかねない。そのため、このように構成することで、耳側を広範囲に面取りすると同時に、鼻側はそれほど面取りを大きくしないようにすることができる。
図１９に基づいて耳側寄りと鼻側寄りの稜線のカーブの曲率と面取り領域との関係について説明する。図１９ではわかりやすく説明するために一例として稜線の形状を等曲率の円弧状とした。
玉型形状内において耳側寄り稜線のカーブの曲率が大きいと玉型形状の上下寄りで幾何中心側に徐々に湾曲して耳側寄りの上下位置の稜線の外側の面積が増えることとなる。そのため、面取り加工が可能な領域が増えることとなる。一方、玉型形状内において鼻側寄り稜線のカーブの曲率は小さいため稜線の外側の領域は小さくなることとなる。【００１２】
また、第７の手段として、耳側の前記稜線のカーブの曲率が前記玉型形状の上下幅の中央付近において最も大きくなるようにした。
耳側の稜線のカーブの曲率が玉型形状の上下幅の中央付近において最も大きくなるような形状が、横に長い玉型形状が設定された前駆体レンズにおいて、耳側寄りの位置においてレンズ使用領域の外側に広範囲に面取り加工を施すことができるため、第三者から見られた際の見え方として違和感が少なくなるからである。
また、第８の手段として、前記第２の形状において耳側に配置された前記稜線と鼻側に配置された前記稜線は接続されていないようにした。
これによって、上記第４の手段と同様に一方の稜線が他方の稜線のカーブ形状に拘束されないため、それぞれの稜線の形状に裕度ができるため、耳側と鼻側の様々な面取り加工に対応可能となる。
また、第９の手段として、前記第２の形状の前記稜線はリング状に構成され、前記稜線は前記玉型形状の上下方向では前記玉型形状の外側に配置されるようにした。
これによって、上記第５の手段と同様に稜線の形状がリング状ではない場合と比較してレンズ面の加工がしやすくなる。【００１３】
また、第１０の手段として、前記レンズ基材の幾何中心を中心とする座標を想定し、前記座標において耳側の水平方向を０度とした際に、前記稜線は上又は下に方向に３０〜６０度の角度領域で前記玉型形状の輪郭の線と交差するようにした。
稜線が玉型形状の輪郭の線と交差する位置が、あまり玉型形状の耳側寄りすぎては広範囲に面取り加工ができなくなる。一方、あまり玉型形状の内側すぎる位置で交差させると稜線の形状に無理が生じたり稜線がレンズ使用領域内に侵入するようになってくる。そのために、稜線の通る妥当な交差位置を角度として限定したものである。
また、第１１の手段として、前記稜線のカーブ形状を中心点又は中心点付近の基準となる点から稜線上の各点までの線分の長さの２階差分の２乗和を最小にする条件で最適化するようにした。
これによって稜線のカーブ形状を多くの通過点を設定しなくとも滑らかなカーブ形状に構成することが可能となる。
また、第１２の手段として、前記稜線のカーブは外に向かって凹とならない形状であるようにした。
これは玉型形状だけではなく、稜線のカーブ形状が玉型形状の外側でも凸か直線であること意味する。これによって面取り加工がしやすく、また不自然さのないデザイン的に優れた前駆体レンズを提供することができる。
また、第１３の手段として、前記第２の形状において前記稜線は前記玉型形状の外側でも前記稜線からレンズ周縁に向かって徐々に厚さが薄くなるような形状とされているようにした。
これによってレンズ周縁の不要な部分がカットされた軽量で厚みのない前駆体レンズが、前駆体レンズの状態ですでに提供できることとなる。この際に厚さが薄くなりすぎて表裏に貫通した透孔が形成されないように加工することがよい。【００１４】
また、第１４の手段として、第１〜第１３の手段のいずれかに記載のマイナス度数の眼鏡用の前駆体レンズを前記玉型形状に加工して眼鏡用レンズを得るようにした。
これによって任意のデザインの横長の玉型形状に合致したマイナス度数の眼鏡用のレンズを得ることができる。マイナス度数の眼鏡用のレンズは、例えばシングルヴィジョンであっても、小玉の付属した遠近両用レンズや累進屈折力レンズであってもよい。【００１５】
また、第１５の手段として、支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズの加工方法であって、レンズ裏面側に横方向が縦方向よりも長い玉型形状を設定し、前記レンズ基材の裏面に、装用者に関して処方されたマイナス度数のレンズとしての光学性能を発揮できる凹面形状（以下、第１の形状）と、稜線が、前記玉型形状の耳側の内側でかつレンズ使用領域よりも外側において外に向かって凹とならないカーブ形状となり、前記稜線のカーブの曲率が前記玉型形状の上下幅の中央付近において最も大きくなり、前記玉型形状の内側で前記稜線からレンズ周縁に向かって徐々に厚さが薄くなるような形状（以下、第２の形状）とを合成した面を加工するようにした。
この手段は第１の手段を方法的観点から特定した内容である。
このように玉型形状の上下幅の中央付近で最も稜線のカーブの曲率が大きな前駆体レンズを加工すると、カーブが玉型形状の中央付近から上下に離れるにつれてカーブはなだらかになって稜線が玉型形状のレンズ使用領域の内側には向かわずに玉型形状の外方向に向かうこととなる。つまり、横に長い玉型形状が設定された前駆体レンズを加工する際に、レンズ中心から離間した耳側寄りの位置においてレンズ使用領域の外側に広範囲に面取り加工を施すことができるため、第三者から見られた際の見え方として違和感が少なくなる。【００１６】
また、第１６の手段として、前記稜線が前記玉型形状の鼻側の内側でかつレンズ使用領域よりも外側において外に向かって凹とならず、前記玉型形状の内側で前記稜線からレンズ周縁に向かって徐々に厚さが薄くなるようなカーブ形状（以下、第３の形状）を、前記第１の形状に合成するようにした。
このように加工すると、横に長い玉型形状が設定された前駆体レンズにおいて、レンズ中心から離間した鼻側寄りの位置においても面取り加工を施すことができる。このように、鼻側寄りの位置において面取りすることでレンズが厚くなって鼻に当たるような不具合が解消できる。
また、第１７の手段として、耳側の前記玉型形状の上下幅の中央付近の前記稜線のカーブの曲率よりも鼻側の前記玉型形状の上下幅の中央付近の前記稜線のカーブの曲率が小さくなるようにした。
耳側ではなるべく広範囲に面取り加工することが第三者からレンズを見られた際の美観の観点から好ましい。鼻側は第三者からレンズのフチの厚さを見られるということはないが、面取り加工をすることでレンズが鼻に当たることを想定した場合の安全性が向上する。しかし、あまり大きく面取りすると、その面取りした面を通して第三者から見られた際に顔が変形して目視されかねない。そのため、このように耳側よりも上下幅の中央付近の稜線のカーブの曲率を小さく加工することで耳側ほど広範囲に面取り加工しないようにするというものである。鼻側の稜線のカーブの曲率は稜線全域での最小値をとることがよい。【００１７】
また第１８の手段として、支持されたレンズ基材を周方向に回転させるとともに、前記レンズ基材の裏面側に加工ツールを配置し、同加工ツールを前記レンズ基材方向に同レンズ基材に対して相対的に進出させることで前記加工ツールを前記レンズ基材の裏面に当接させて回転に伴って当該当接位置において同心円状に所定のサグ量での加工を実行させるとともに、前記加工ツールを前記レンズ基材の回転中心方向に対して接近あるいは離間するように前記レンズ基材に対して相対的に移動させることで前記レンズ基材の裏面を三次元的な面形状に加工したマイナス度数の眼鏡用の前駆体レンズの加工方法であって、レンズ裏面側に横方向が縦方向よりも長い玉型形状を設定し、前記レンズ基材の裏面に、装用者に関して処方されたマイナス度数のレンズとしての光学性能を発揮できる凹面形状（以下、第１の形状）と、稜線が、前記玉型形状の耳側と鼻側の内側でかつレンズ使用領域よりも外側において外に向かって凹とならないカーブ形状となり、前記玉型形状の内側で前記稜線からレンズ周縁に向かって徐々に厚さが薄くなるような形状（以下、第２の形状）とを合成し、その際に前記玉型形状の耳側を通る前記稜線と鼻側を通る前記稜線のそれぞれのカーブの平均的な曲率を比較した際に耳側の前記稜線のカーブの曲率よりも鼻側の前記稜線のカーブの曲率が小さくなるようにした。
この手段は第６の手段を方法的観点から特定した内容である。
横に長い玉型形状が設定された前駆体レンズにおいては、耳側ではなるべく広範囲に面取り加工することが第三者からレンズを見られた際の美観の観点から好ましい。しかし、鼻側では第三者からレンズを見られるということはなく、むしろ面取り加工をするとその面取りした面を通して第三者から見られた際に顔が変形して目視されかねない。このように加工することで耳側を広範囲に面取りすると同時に、鼻側はそれほど面取りを大きくしないようにすることができる。【００１８】
また第１９の手段として、耳側の前記稜線のカーブの曲率が前記玉型形状の上下幅の中央付近において最も大きくなるように加工するようにした。
耳側の稜線のカーブの曲率が玉型形状の上下幅の中央付近において最も大きくなるような形状が図１９による説明のように玉型形状の耳側に広範囲に面取り加工する際に有利だからである。
また第２０の手段として、前記稜線のカーブ形状を中心点又は中心点付近の基準となる点から稜線上の各点までの線分の長さの２階差分の２乗和を最小にする条件で最適化するようにした。
これによって稜線のカーブ形状を多くの通過点を設定しなくとも滑らかなカーブ形状に構成することが可能となる。
上述した第１〜第２０の手段の各発明は、任意に組み合わせることができる。第１〜第２０の手段の各発明の任意の構成要素を抽出し、他の構成要素と組み合わせてもよい。
【発明の効果】
【００１９】
本発明によれば、横に長い玉型形状が設定された前駆体レンズにおいて、レンズ中心から離間した耳側寄りの位置において、特にレンズ使用領域の外側に広範囲に面取り加工を施すことができるため、第三者から見られた際の見え方として違和感が少なくなる。
【図面の簡単な説明】
【００２０】
【図１】本発明の実施例１の丸レンズの裏面側に設定される玉型形状と稜線の配置状態を説明する説明図。
【図２】図１の丸レンズの稜線の全周の曲率分布を説明するグラフ。
【図３】本発明の実施例２の丸レンズの裏面側に設定される玉型形状と稜線の配置状態を説明する説明図。
【図４】図３の丸レンズの稜線の全周の曲率分布を説明するグラフ。
【図５】比較例の丸レンズの裏面側に設定される玉型形状と稜線の配置状態を説明する説明図。
【図６】図５の丸レンズの稜線の全周の曲率分布を説明するグラフ。
【図７】図３のＡ−Ａ線方向における境界線付近から外方の部分拡大断面図。
【図８】玉型形状と稜線が好ましい場合の丸レンズを説明する説明図。
【図９】玉型形状と稜線が好ましくない場合の丸レンズを説明する説明図。
【図１０】（ａ）は面取りをしていないノーマルな丸レンズ、（ｂ）は比較例としての面取りした丸レンズ、（ｃ）は実施例２の丸レンズにおけるそれぞれ玉型形状内の玉型形状縁寄りの厚みの違いを数値として示した説明図。
【図１１】（ａ）は面取りをしていないノーマルな丸レンズ、（ｂ）は比較例としての面取りした丸レンズ、（ｃ）は実施例２の丸レンズにおけるそれぞれ耳側から見た側面図。
【図１２】実施の形態において使用されるＮＣ旋盤装置の概略説明図。
【図１３】バイトと材料ブロックとの位置関係を説明する説明図。
【図１４】材料ブロックを中央位置で直径方向に破断した一部破断側面図。
【図１５】丸レンズの裏面に形成される稜線とその前後の加工を説明する説明図。
【図１６】スプライン補間を説明する説明図。
【図１７】稜線の曲率の計算を説明するための説明図。
【図１８】（ａ）〜（ｄ）は本発明の稜線のカーブ形状を説明する説明図。
【図１９】耳側寄りと鼻側寄りの稜線のカーブの曲率の違いを説明するための丸レンズの裏面側に設定される玉型形状と稜線の配置状態の説明図。
【図２０】本発明との違いを説明するための丸レンズの裏面側に設定される玉型形状と稜線の配置状態において、稜線のカーブの曲率を玉型形状内の耳側の上下幅の中央付近において最も小さくした説明図。
【発明を実施するための形態】
【００２１】
以下、本発明の具体的な実施例を図面に基づいて説明する。
（実施の形態）
図１は実施例１の前駆体レンズとしての丸レンズ１１であり、図３は実施例２の前駆体レンズとしての丸レンズ１２である。図５は比較例の前駆体レンズとしての丸レンズ１３である。丸レンズ１１〜１３は、図１４に示すような、いわゆる「（セミ）セミフィニッシュトブランク」と呼ばれる十分な厚みを有する円筒状のレンズ基材である材料ブロック１４を後述するＮＣ（Numerical Control）旋盤装置４１にて裏面側を切削加工あるいは研削加工して得られたものである。
本実施の形態における材料ブロック１４は、一例として素材屈折率１．７０で半径７０ｍｍの円筒体であって、表面は所定の曲率で凸状に形成され、裏面は所定の曲率で凹状に形成されている。表面は丸レンズ１１に加工された際にそのまま同じ曲率の表面とされる。本実施の形態では丸レンズ１１〜１３は材料ブロック１４の形状データをＮＣ旋盤装置４１に入力するとともに、ユーザー固有のレンズ度数を形成するための第１の加工データと、第１の加工データで加工されるレンズ周囲の不要な部分をカットするための第２の加工データを合成した合成加工データに基づいて材料ブロック１４の裏面側を切削して作製される。尚、最終的にはスムージング加工及びポリッシング加工が施されて滑らかな加工面の丸レンズ１１〜１３が完成する。第１の加工データによって加工される面形状が第１の形状であり、第２の加工データにより加工される面形状が第２の形状又は第３の形状とされる。
【００２２】
図７に基づいて実施例２の丸レンズ１２を例にとってその裏面の三次元的形状（立体的形状）について説明する。尚、実施例１の丸レンズ１１、比較例の丸レンズ１３も基本的な三次元的形状は同様であるので丸レンズ１２と共通する構成部位については同じ番号を付し、詳しい説明は省略する。比較例の丸レンズ１３は稜線２１としているが、稜線の設計手法は実施例と同様である。
レンズ中心から稜線１８までの距離は稜線１８の形状がいびつであるため、丸レンズ１２の裏面全周に渡って丸レンズ１２中心から縁方向（つまり半径方向）への断面形状は異なる。図７では、一例として図３のＡ−Ａ線方向における稜線１８付近から外方の部分拡大断面図に基づいて形状の説明をする。図７に示すように、丸レンズ１２の裏面には中心方向から順にレンズ使用領域１６、境界線１７、稜線１８、玉型形状の縁１９の順に並ぶ。これらは実際にレンズ面に実際の線分として現れるものではない。尚、図７では表面側のカーブをキャンセルして直線（平面）として図示している。
【００２３】
丸レンズ１２の三次元的形状をより詳しく説明する。
図７に示すように、レンズ使用領域１６は第１の形状のみから構成される。第１の形状は第２の形状（又は第３の形状）を合成しないと想定した場合には、レンズ使用領域１６から仮想線Ｂのようなカーブでレンズ外方に形状が延出されるようになるため、レンズ縁が極めて厚くなってしまう。レンズ使用領域１６から外側は第２の形状又は第３の形状が合成された面となるため、この仮想線Ｂのようにレンズ縁が厚くなることはない。
レンズ使用領域１６から外側、つまり境界線１７から外側は稜線１８をピークとして外方に向かってなだらかな曲面が形成される。レンズ使用領域１６は丸レンズ１２を玉型形状の外形となるように切削加工して、フレーム入れした際に実質上レンズとして機能しうる領域である。玉型形状はフレームに包囲されるため、そのフレームに近接した領域で斜め外方向からの光はフレームによって遮られて眼に入らない。そのため、玉型形状の縁１９から玉型の上方向と下方向では０．３〜０．５ｍｍ程度、また耳側と鼻側では３〜５ｍｍ程度の領域は玉型形状の縁１９内であってもレンズ使用領域１６ではない領域となる。尚、耳側と鼻側の厚みは幅がありレンズのマイナス度数が非常に強くて、かつ玉型が大きい場合は１０ｍｍまたはそれ以上になることもある。鼻側と耳側に寄った位置で玉型形状の縁１９と交差する境界線１７は、玉型形状の縁１９の内側でこのレンズ使用領域１６にかからない部分を通過している。
図３等に示すように、レンズ裏面からの平面視において、稜線１８はいびつなリング状に構成される。実施例２の丸レンズ１２の玉型形状は鼻側と耳側が角張った横長形状とされている。稜線１８は玉型形状（実際は玉型形状の縁１９）の耳側と鼻側に寄った位置において玉型形状内を通過して玉型形状の縁１９と交差する。稜線１８と玉型形状の縁１９との関係は後述する。
【００２４】
さて、第１の形状のレンズ使用領域１５とその外側の領域（レンズ非使用領域）との境界位置（以下、ａ位置）に境界線１７は存在する。この部分は第１の形状と第２の形状が連続的に接続される部分であり、両者は滑らかに接続され段差はない。そのため実際の外観上は境界線１７の位置はわからない。境界線１７から外側には稜線１８を基準に断面が上に凸となるなだらかなカーブで構成された領域Ｒ１がまず形成されている。本実施の形態では領域Ｒ１は２ｍｍ前後の幅とされる。
領域Ｒ１の外側には断面が１次関数の直線で構成された領域Ｒ２が形成されている。本実施の形態ではこの斜面は４５度の半分として２２．５度とした。その角度での１次関数（傾斜面において、厚さを補う前の仮のレンズ厚さ）は、
ｇ(ｔ)＝０．４１４２・ｔ
とされる。ここで、ｔ＝０となる位置はｇ(ｔ)の関数で表される傾斜面の厚さが０になる位置であり、ｇ(ｔ)の原点とする。その位置をｄ位置とする。ｔはレンズの中心に向かって正の値を取る距離（ｍｍ）として定義される。
【００２５】
領域Ｒ２はｂ位置で領域Ｒ１と滑らかに接続されている。本実施の形態では領域Ｒ２は２ｍｍ前後の幅とされる。領域Ｒ２の外側には領域Ｒ３が形成されている。領域Ｒ２と領域Ｒ３は滑らかに接続され接続位置（この位置をｃ位置とする）がこの断面方向では玉型形状の縁１９とされる。領域Ｒ３は３次関数の下に凸となる（薄くなる）なだらかなカーブで構成されておりｅ位置で最小値をとり、それは丸レンズ１２の最も薄い（低い）位置となる。３次関数は傾斜面に付加する厚さとして、次のように置くことができる。
ｆ(ｔ)＝ａｔ３＋ｂｔ２＋ｃｔ＋ｄ
ｆ(ｔ)の具体的な係数の算出手法は後述する。尚、ｄ位置からｅ位置までの距離は本実施の形態では５ｍｍとする。
領域Ｒ３は一旦薄くなった後に再び厚くなりｆ位置で領域Ｒ４と接続される。本実施の形態では領域Ｒ３は７ｍｍ前後の幅とされる。領域Ｒ４は水平方向に延びる直線で構成されており丸レンズ１２の外周縁ｇ位置に至る領域である。ｆ位置での領域Ｒ３と領域Ｒの接続は不連続である。領域Ｒ４の幅は稜線１８の位置によって変化する。
【００２６】
次に、図８〜図１０に基づいて稜線１８の形状について詳しく説明する。
図８は玉型形状に対する稜線の位置関係を説明する本発明において「好ましい稜線」を説明する図である。実施例２の丸レンズ１２に対応する。また、図９は「好ましい稜線」との比較のための「好ましくない稜線」の丸レンズの図である。比較例の丸レンズ１３に対応する。
図８に示すように、稜線１８は曲率が一定ではないカーブによってリング状に構成されている。稜線１８は常に外に凸となるカーブ（つまり、プラスのカーブ）から構成され、凹となる（つまりマイナスカーブ）部分はない。稜線１８はレンズ使用領域１６の外側にであって玉型形状内を耳側寄りと鼻側寄りで玉型形状の縁１９と交差する。稜線１８は耳側の玉型形状内の上下幅の中央付近（アイポイント高さ付近）において外に凸となるカーブで最も曲率が大きくなっている。その曲率は同じ高さの玉型形状のカーブよりも大きい。そして、稜線１８は玉型形状の上下方向に向かうにつれて曲率は徐々に小さくなっていき、玉型形状のカーブよりも小さな曲率となることから玉型形状と交差して玉型形状の外に向かう。稜線１８は上下それぞれ４５度程度の角度で玉型形状の縁１９と交差する。玉型形状の縁１９とは直交するような深い角度ではなく玉型形状の縁１９に沿った比較的浅い角度で交差することとなる。このようなカーブ形状であるため図８の丸レンズでは耳側で大きく面取りがされることとなる。また、稜線１８の角度がこのように玉型形状の上下縁寄りで浅くなると後述する加工の際のバイト４０による同心円状の動きと大きく交差することがないので、バイト４０の進退動作に無理がかかりにくくなる。
また、稜線１８は鼻側の玉型形状内ではほぼ上下幅にわたって等曲率の外に凸となるカーブで構成されている。この玉型形状内の鼻側寄りを通過する稜線１８のカーブの曲率は稜線１８全体として最も小さく、玉型形状をほぼ上下方向に交差する。稜線１８は上下それぞれ１５度程度の角度で玉型形状の縁１９と交差する。玉型形状の上下方向で稜線１８の曲率が変わらないことから交差角度はより耳側で交差する場合よりも深い角度で交差する。このようなカーブ形状であるため図８の丸レンズでは鼻側であまり面取りがされないこととなる。
【００２７】
一方、図９の好ましくない稜線２１は全体として等曲率の真円形状とされている。耳側寄りと鼻側寄りは等曲率の稜線２１が通過する。
ここで、図８と図９を比較すると、図９では図８と異なり玉型形状内の耳側寄りで稜線２０のカーブは常に等曲率であるため、稜線２１は玉型形状内の上下方向で稜線２０の外側領域が図８のように広くなることがない。つまり、「好ましい稜線」である図８の場合よりも面取りがされないこととなる。そして、図９における稜線２１が玉型形状の縁１９と交差する位置を見た場合に、図８の丸レンズでは面取りされているためは相対的に薄くなっている。
これに対し、図９では稜線２１のカーブは鼻側寄りでは図８の稜線１８の鼻側寄りよりも曲率が大きくなっているため、逆に「好ましい稜線」である図８の場合よりも大きく面取りがされていることとなる。
図１０（ａ）〜（ｃ）は丸レンズにおける玉型形状内の玉型形状縁寄りの厚みの違いを数値として示した図である。図１０（ａ）はまったく面取り加工をしないレンズ（つまり第１の加工データによって加工された第１の形状のみを有するノーマルレンズ）を比較のために挙げた図である。図１０（ｂ）は「好ましい稜線」で作製した実施例２の丸レンズであり、図１０（ｃ）は「好ましくない稜線」で作製した比較例の丸レンズである。また、図１１（ａ）〜（ｃ）は図１０（ａ）〜（ｃ）に対応するそれぞれの丸レンズの耳側からの側面図である。各図の破線は丸レンズを幾何中心で断面とした際の裏面側カーブ形状である。図１１（ｂ）に示すように、本発明の実施例２の丸レンズでは図１１（ｃ）の比較例の丸レンズに比べて玉型形状内の耳側寄りでは広範囲に面取りされて薄くなっており、一方、鼻側では面取りされているものの極端に広範囲に面取りはしていないことがわかる。
【００２８】
上記のような実施の形態によって作製された具体的な丸レンズについて玉型形状と稜線の関係について説明する。
（１）実施例１
図１に示す実施例１の丸レンズ１１は天地幅の大きい玉型形状の例である。実施例１ではアイポイントＥＰは丸レンズ１１の幾何中心と一致する。玉型形状の縁１９と交差する稜線１８はリング状に設定されている。図２に基づいて稜線１８の曲率をより正確に分析する。図２は稜線１８の周形状を設計するために基準とした２４点の位置での曲率を折れ線グラフとしたものであり、鼻側の幾何中心を通る水平線よりわずかに下位置にある点を「０」として反時計回り方向に２４点の位置をプロットしたものである。これによれば稜線１８耳側寄り内側１２点目の付近が最も曲率が大きく（極大）、鼻側寄り内側の０点や２４点付近が最も曲率が小さい（極小）。また、玉型形状内において鼻側寄りの稜線１８の平均的な曲率は耳側寄りの稜線１８の平均的な曲率よりも小さい。
この実施例１では、旋盤装置２１の回転中心から稜線までの距離が、鼻側と耳側でほば同じであり、上下に対称的なので、加工の面で有利である。その一方、鼻側において玉型と丸レンズのフチの距離（玉型加工時のとりしろ）が大きいので、本来必要な大きさよりも大きなレンズを作製することとなり、使用する材料コストと加工コストの面では不利である。
【００２９】
（２）実施例２
図３に示す実施例２の丸レンズ１２は天地幅の小さい玉型形状の例である。実施例１ではアイポイントＥＰは丸レンズ１２の幾何中心から鼻側２．０ｍｍ、上側２．０ｍｍの位置に設定されている。実施例１と同様玉型形状の縁１９と交差する稜線１８はリング状に設定されている。図４に基づいて稜線１８の曲率をより正確に分析する。図４は図２と同様に２４点の位置をプロットしたものである。これによれば稜線１８耳側寄り内側１２点目の付近が最も曲率が大きく（極大）、玉型形状の外となる上側の９点目付近と下側の１６点付近が最も曲率が小さい（極小）。鼻側寄り内側の０点や２４点付近も耳側寄りに比べると曲率は小さい。また、玉型形状内において鼻側寄りの稜線１８の平均的な曲率は耳側寄りの稜線１８の平均的な曲率よりも小さい。
実施例２では、旋盤の回転中心から稜線までの距離が、実施例１よりも不均一なので、加工の面でやや不利である。その一方、作製するレンズの径は最適となっている。
（３）比較例
図５に示す実施例３の丸レンズ１３は実施例２とおなじ玉型形状であって、稜線１８を真円とした例である。図６に基づいて稜線１８の曲率をより正確に分析する。図６は図２と同様に２４点の位置をプロットしたものである。この例では稜線１８を真円にしたため曲率の変化はなく一定である。旋盤加工をしやすいが、美観において実施例１〜２に劣ることとなる。また、玉型形状内において耳側の上下部分においては縁が厚くなってしまう。また、玉型形状内の鼻側（つまり鼻側の縁部分）は耳側ほど薄くする必要はないのであるがこの例では鼻側を薄くしすぎである。
【００３０】
次に、材料ブロック１４から丸レンズ１１〜１３を作製する際の加工方法について説明する。
本実施の形態では加工装置として図１２に示すＮＣ旋盤装置４１を使用して材料ブロック１４を加工する。ＮＣ旋盤装置４１の主軸３２はテーブル３３の面板３４に回転可能に取り付けられている。主軸３２はＺ軸に平行に延出されている。主軸３２は主軸回転モータ３５によって回転させられる。主軸３２の先端にはチャック部３６が形成されている。材料ブロック１４の凸面側には連結部を備えたパッド３８が前もって貼着されており、材料ブロック１４はパッド３８の連結部を介してチャック部３６に固定される。材料ブロック１４は主軸３２先端に固定された状態でその光学中心Ｏは主軸３２の回転中心と一致する。主軸３２と対向する位置には刃物台３７が配設されている。刃物台３７は複数の刃物台駆動モータ３９によってＸ軸Ｚ軸方向の２方向に対して移動可能とされている。Ｘ軸は刃物台３７の主軸３２に対する左右方向の直交方向、Ｚ軸は刃物台３７の主軸３２に対する接離方向である。刃物台３７のチャック部３６には加工ツールとしてのバイト４０が着脱可能に取り付けられている。各モータ３５，３９はサーボモータから構成されており、それぞれアンプ３２を介してコントローラ４３に接続されている。尚、図１２は簡略化した図であり、本発明と直接関係のない構成については省略されている。
【００３１】
コントローラ４３はＣＰＵからなるＮＣ旋盤装置４１の制御部分であって、ＲＯＭ４４及びＲＡＭ４５が接続されている。ＲＯＭ４４にはＮＣ旋盤装置４１のシステムプログラム、ＮＣ加工プログラム、ＯＳ(Operation System)等の各種プログラムが記憶されている。また、コントローラ４３にはキーボードやマウス等から構成される入力操作部やモニターが接続されている。
ＲＡＭ４５には製品データ、バイトデータ、加工条件データ、機械データ等が記憶されている。
製品データとは材料ブロック１４の形状データ及び作製される丸レンズ１１〜１３の第１の加工データと第２の加工データの両方を含む。バイトデータとは本実施例ではバイト４０は粗加工の場合と仕上げ加工の場合とでそれぞれ異なる種類を使用するため、それらの加工毎で取り替えるバイト４０の種類やサイズについての諸元データである。加工条件データとは一回転毎のバイト４０の送り量や送り速度等のデータである。機械データは主軸３２と刃物台３７の位置関係や刃物台３７におけるチャック部３６の位置関係等のＮＣ旋盤装置４１の機械要素の諸元データである。コントローラ４３はＮＣ加工プログラムを実行させ、前記各モータ３５，３８を制御する。
【００３２】
図１３に示すように、回転する材料ブロック１４に対してＮＣ旋盤装置４１のバイト４０は材料ブロック１４の外方から中心方向（ｘ軸方向）に移動しながら合成された第１の加工データと第２の加工データに基づいて材料ブロック１４に対してｚ軸方向に接離するように（つまり前後に移動して）切削加工動作を実行する。材料ブロック１４中心に達したバイト４０は一旦材料ブロック１４から一旦離間し、材料ブロック１４外側の初期位置に復帰して再び次の切削加工動作を行う。バイト４０は例えば毎秒５〜１０回転程度で材料ブロック１４を０．１〜０．５ｍｍ程度の切削量で切削していく。これらの値はＮＣ旋盤装置４１の機種や設定、あるいは加工のいずれの段階（例えば粗加工か、仕上げ加工か等）か、によって適宜変更される値である。
切削加工動作においては当初はＮＣ旋盤装置４１に設定された加工データと材料ブロック１４の形状は一致しないため接触したりしなかったりするが、切削が進むに連れて加工データに従った形状で材料ブロック１４の裏面全体をバイト４０はなめるように切削していく。
【００３３】
ここで、材料ブロック１４はバイト４０によって同心円状（実際はらせんの一部）に加工されていくが、上記のように境界線１３はこの円周上にあるわけではないため、バイト４０は加工の途中でその軌跡が境界線１３と何度も交差することになる。軌跡が稜線１８と交差する位置ではバイト４０は稜線１８を乗り越えてその内外に進出することとなるが、稜線１８から外方の領域Ｒ１〜Ｒ３は急激にレンズ厚さが薄くなる領域であるためバイト４０は急激な動作を強いられることとなる。逆方向も同様である。特に境界線１３との交差角度が直交方向に近いほどバイト４０は急激な速度で進出することとため、進退動作の加速度も大きくなる。図７に示すように本実施の形態ではレンズ厚さが最も薄くなる位置がレンズ基材の最も外周位置よりも内側に設定されている。そのため、加工ツールはストローク量を大きくすることができ、ツールの加速度を抑えることができるため、加工ツールに無理が生じず故障しにくくなる。
【００３４】
次に本実施の形態における第２の形状（又は第３の形状）のデータの作成手法について説明する。第２の形状（又は第３の形状）は第１の形状に付加される形状データであり、材料ブロック１４を形状データに基づいてＮＣ旋盤装置４１によって切削することで求める裏面形状が成形される。
（１）稜線１８とその前後の丸め
上記のように領域Ｒ１は稜線１８を基準に断面が上に凸となるなだらかなカーブで構成されている。これは第１の形状と第２の形状の境界に尖ったカドができてしまうと、研磨加工やハードコート加工等に支障が出てしまうからである。そのため稜線１８のようになだらかに補正する必要がある。この領域は次のように作成する。
図１５はレンズ中心とレンズ縁とを結ぶ線状での断面位置の第１の形状とｇ(ｔ)＝０．４１４２との交叉点を示している。この交叉点をｐ１とする。ここで補完直線Ｌを引いて交叉点ｐ１からの垂線と交叉する点をｐ２とする。
ここでｐ２から稜線１８頂点の接線方向にそれぞれ０．５ｍｍ離れた位置からの稜線１８を含む滑らかな付加形状Δωを与えることを考える。
例えば、付加形状のカーブを３次関数  ｊ（ｘ）＝ａｘ３＋ｂｘ２＋ｃｘ＋ｄ
と置く。また、ここでｈの高さはｊ（ｘ）の出発点高さから、点ｐ２までの高さであり、２ｈは点ｐ１までの高さとする。
ここでｘは領域Ｒ１が第１の形状と接続する端の位置において０とする。
まず、領域Ｒ１が第１の形状と接続する端の位置では段差のない接続とするため、ｊ（０）＝０でなければならず、従ってｄ＝０である。
また、この式を一階微分した導関数は、
ｊ'（ｘ）＝３ａｘ２＋２ｂｘ＋ｃ
となるが、ｘ＝０における増加量はｘ方向０．５あたりにつき高さ方向２ｈなので、２ｈ／０．５＝４ｈとなる。したがって、
ｊ'（０）＝ｃ＝４ｈ
ｐ１２位置での一階微分値が連続でなければならないので、
ｊ'（０．５）＝０．７５ａ＋ｂ＋４ｈ＝０
また、ｊ（０．５）＝０．１２５ａ＋０．２５ｂ＋２ｈ＝ｈ  であるから、０．５ａ＋ｂ＋４ｈ＝０
これを解いて、ａ＝０、ｂ＝−４ｈ  となる。
従って、ｊ（ｘ）＝−４ｈｘ２＋４ｈｘ  となる。
ｈの値は任意に変更した値とすることで稜線の丸みを調整することが可能となる。
【００３５】
（２）稜線１８の周形状
本実施の形態では稜線１８の周形状は次のように設計される。但し、この設計手法は一例であって他の手法で設計するようにしてもよい。
ａ．稜線１８の中心座標を設定する。例えば、実施例２ではｘ＝０．２ｍｍ、ｙ＝２．０ｍｍとした。
ｂ．図３の稜線１８上の黒塗り四角形で示すように幾何中心から稜線１８までの距離を、等角度間隔（１５度間隔）で２４点設定する。鼻側でアイポイント位置の高さを０番とし耳側でアイポイント位置の高さを１２番とする。２４点はちょうど１５度間隔で設定できるので、ここでは２４点としたがもっと増やしてもよい。この例では、回転中心から玉型の鼻側と耳側のフチまで距離が等しいので、初期値をすべて２３ｍｍとした。こうすることで、耳側の最大エッジ幅が鼻側より０．４ｍｍ大きくなり、エッジ幅を好ましいバランスにすることができる。
ｃ．幾何中心から稜線１８までの距離を変位させる。具体的には、０番と１２番を２３．００ｍｍとし、上側６番と下側１８番を２０．１０ｍｍとする。次に３番２３．５２ｍｍ、９番１９．１７ｍｍ、１５番１９．７０ｍｍ、２１番２３．５６ｍｍとする。これらの値は、最終的な形状を想定しながら玉型に合わせて主観的に設定したものであるが、注文データに含まれる玉型形状に合わせて自動的に計算することもでき、その場合には任意の方法で設定することができる。
ｄ．これまでに設定した８個の距離を固定して、残りの１６点の距離を稜線１８の形状が滑らかになるように最適化する。そのために、２４個の距離の２階差分の２乗和が最小になるように、個々の距離の値を少しずつ繰り返し順番に変動させる。
この際に、距離の２階差分の２乗を算出する方法として、次のように実行する。
１．２４個ある距離に関して、隣り合う値の差分を算出する。周上なので２４個の値を求めることになる。
２．２４個の差分に関して、さらに隣り合う値の差分を算出する。
３．こうして求めた２４個の２階差分を、それぞれ２乗して足し合わせる。
このように最適化することで滑らかな稜線１８とするために非常に多くの稜線１８上の座標を設定する必要がなく、少ない基準点でも滑らかな稜線１８の設計をすることが可能となる。
尚、ここで固定点を８個としたのは、一つの例であって、８個以外の数とすることは可能である。
【００３６】
（３）スプライン補間
ＮＣ旋盤装置４１によって丸レンズを加工する際には面上のいたるところの座標値を求める必要がある。それは稜線１８も同様であり稜線１８上の座標値を求める必要がある。そのため上記の２４点を使用してスプライン補間計算をし、その補間計算した座標を稜線１８上の座標値とする。図１６に基づいて説明する。
一般に周知な手法として、ＸＹ平面上の２４点の座標を（ｘｉ、ｙｉ）ｉ＝０〜２３とする。ｘ０〜ｘ２３の２４点に関して、媒介変数ｔ（０〜１）を介したパラメトリック周期スプライン補間を行うことができる。
また、より簡単な別の方法として稜線１８上の４点の座標をもとに２点間の座標を補間する方法を示す。図１６の４点ｐ１〜ｐ４に関して、以下の操作を行う。これを２４点に応用することは容易である。但し、それぞれの点にはそれぞれのＸＹ座標の値が対応しているものとする。
Ｓ２←ｐ２
Ｅ２←ｐ２＋（ｐ３−ｐ１）／４
Ｓ３←ｐ３＋（ｐ２−ｐ４）／４
Ｅ３←ｐ３
補間する点＝
（１−ｔ）（（１−ｔ）Ｓ２＋ｔ・Ｅ２）＋ｔ（（１−ｔ）Ｓ３＋ｔ・Ｅ３）
その結果、ｔの値０〜１にｐ２〜ｐ３の座標が対応する。
ここで、改めてｘ座標とｙ座標をそれぞれ変数として、＝で結んだ数式として以下に示す。
Ｓ２ｘ＝ｐ２ｘ
Ｓ２ｙ＝ｐ２ｙ
Ｅ２ｘ＝ｐ２ｘ＋（ｐ３ｘ−ｐ１ｘ）／４
Ｅ２ｙ＝ｐ２ｙ＋（ｐ３ｙ−ｐ１ｙ）／４
Ｓ３ｘ＝ｐ３ｘ＋（ｐ２ｘ−ｐ４ｘ）／４
Ｓ３ｙ＝ｐ３ｙ＋（ｐ２ｙ−ｐ４ｙ）／４
Ｅ３ｘ＝ｐ３ｘ
Ｅ３ｙ＝ｐ３ｙ
補間する点のｘ座標＝
（１−ｔ）（（１−ｔ）Ｓ２ｘ＋ｔ・Ｅ２ｘ）＋ｔ（（１−ｔ）Ｓ３ｘ＋ｔ・Ｅ３ｘ）
補間する点のｙ座標＝
（１−ｔ）（（１−ｔ）Ｓ２ｙ＋ｔ・Ｅ２ｙ）＋ｔ（（１−ｔ）Ｓ３ｙ＋ｔ・Ｅ３ｙ）
図１６において、３つの線分は点線と実線に区切られている。これら点線の長さと実線の長さの比は、３つの線分においてすべてｔ：１−ｔとなっている。
ｔ＝０のとき補間点はＰ２（Ｓ２）となり、ｔ＝１補間点はＰ３（Ｅ３）となる。
【００３７】
（４）曲率の計算
稜線１８の座標だけでは稜線１８の任意の位置の曲率はわからない。曲率を算出するために例えば次のようにする。
まず、稜線を定義するための２４点座標をもとに、曲率を近似的に計算する方法を示す。そのためには、ある３点の座標ｐ１〜ｐ３をこの順に通る円の曲率半径（ｍｍ）を求め、その逆数をｐ２における曲率（ｍｍ−１）とすればよい。
図１７において、示す角度θは、ｐ１→ｐ２ベクトルとｐ２→ｐ３ベクトルから算出する。具体的には、２つのベクトルの内積（Ｘ成分どうしの積とＹ成分どうしの積の和）を２つのベクトルの大きさ（それぞれのＸ成分の２乗とＹ成分の２乗を加えた値の平方根）で割って、cosθの値を得る。後は、以下の式に従って計算を行う。
cosθ＝cos２（θ／２）−sin２（θ／２）
１−cosθ＝２・sin２（θ／２）
sin２（θ／２）＝１／２−（１／２）cosθ
sinθ／２＝√（１／２−（１／２）cosθ）
曲率半径Ｒ＝２辺の長さの平均値の半分／（sinθ／２）
【００３８】
（５）境界の外側の形状
図７に示すように、傾斜面の厚さが０になる位置を、関数ｆ(ｔ)に関してｔ＝０の「原点」とする。ｔはレンズ中心に向かって正の値をとる距離（ｍｍ）として定義する。領域Ｒ３から領域Ｒ３に接続する位置（ｄ位置、厚さ３ｍｍ位置）を厚さ付加の「開始点」とする。丸めを施す前の境界の厚さが３ｍｍより薄ければ、境界を厚さ付加の「開始点」とする。開始点ではｔ＝ｘとする。ｘの値は具体的に算出することができるが、表記を簡単にするため以下の式ではｘとして表す。
そして。領域Ｒ３の開始点より外側では、３次関数ｆ(ｔ)に従ってレンズ厚さを付加する。開始点ｔ＝ｘでは、厚さを付加する量と、その変化量を０とする。すなわち、滑らかに厚さの付加を開始する。原点からさらに５ｍｍ外側（マイナス方向とする）で最も薄い点で厚さ０．５ｍｍになるようにする。最も薄くなる位置よりも外側では再びレンズは厚くするが、その厚さは１ｍｍまでに抑える。１ｍｍより厚くしても良いが、そうすると外周フチ厚が位置によって厚くなったり薄くなったりする。ここでは全周の厚さが一定のほうが扱いやすいと考えて、そのようにした。
具体的な３次関数は、上記のように、ｆ(ｔ)＝ａｔ３＋ｂｔ２＋ｃｔ＋ｄとする。実現するレンズ厚さは、ｇ(ｔ)＋ｆ(ｔ)となる。
ただしｔ＝−６よりも外側で値が１ｍｍを超える場合は、レンズ厚さを１ｍｍとした。
【００３９】
厚さを決定する計算を実行する際には、レンズ厚みを薄くしすぎてレンズに表面に連通してしまうようなことがないようにする。そのために例えば次のように最もレンズ厚みが薄くなる位置のレンズ厚みを値を設定する。
ｆ(ｔ)＝ａｔ３＋ｂｔ２＋ｃｔ
ｆ'(ｔ)＝３ａｔ２＋２ｂｔ＋ｃ
ｇ(ｔ)＝０．４１４２・ｔ
ｇ'(ｔ)＝０．４１４２
ｔ＝ｘの点において、ｆ(ｔ)＝０なので、
ｆ(ｘ)＝０
ａｘ３＋ｂｘ２＋ｃｘ＋ｄ＝０  …（１）
ｔ＝ｘの点において、ｆ'(ｔ)＝０なので、
ｆ'(ｘ)＝０
３ａｘ２＋２ｂｘ＋ｃ＝０  …（２）
原点から５ｍｍ外側（ｔ＝−５）が最も薄い点となるようにする。
ｆ'(−５)＋ｇ'(−５)＝０
７５ａ−１０ｂ＋ｃ＋０．４１４２＝０  …（３）
本実施の形態では厚み確保のために、その位置で例えば厚さ０．５ｍｍになるようにする。
ｆ(−５)＋ｇ(−５)＝０．５
−１２５ａ＋２５ｂ−５ｃ＋ｄ−５・０．４１４２＝０．５  …（４）
ｘの値は既知なので、以上（１）〜（４）を連立方程式として解き、ａ・ｂ・ｃ・ｄの値を求めるようにする。
原点から５ｍｍ外側（ｔ＝−５）が最も薄く、その位置で厚さ０．５ｍｍになるようにするので、レンズの厚さが０．５ｍｍより薄くなることはない。
稜線１８より外側の任意の点において、その点とレンズの中心を結ぶ断面方向を想定して上記のように計算を行うことによって、その点の厚さを決定することができる。
【００４０】
このように構成される丸レンズ１１〜１３は、第１の形状と第２の形状の境界線１３を横長の玉型形状の上下方向では玉型形状の縁１９から大きく離間させるようにし、一方で玉型形状の左右方向では境界線１３を玉型形状の縁１９の内側の使用領域ではない位置を通過させるようにしている。そのため、ユーザーがこのような玉型形状でカットしたレンズが装着された眼鏡を装用した際に、第三者から観察される反射像や透過像が歪みにくくなり、第三者から見られた際の違和感が少なくなる。
また、丸レンズ１１〜１３の最も外周寄りには均等な厚みの部分を残すようにしているため、丸レンズ１１〜１３が持ちやすくなっている。
【００４１】
上記実施例は本発明の原理およびその概念を例示するための具体的な実施の形態として記載したにすぎない。つまり、本発明は上記の実施の形態に限定されるものではない。例えば次のように実施するようにしてもよい。
・上記実施の形態の材料ブロック１４や丸レンズ１１、１２の形状は一例である。例えば、丸レンズ１１に設定される玉型形状の形状は横長であれば上記以外の形状であってもよく、丸レンズ１１、１２上での配置位置は変更可能である。また、玉型形状の縁１９と使用領域ではない位置で交差するのであれば境界線１３の形状や設定位置も上記以外であってもよい。上記ではいびつな自由曲線からなるリング状であったが、より定型的なカーブとなる楕円の一部、放物線の一部、双曲線の一部のような形状でそれら曲線の極値を耳側に配置するように稜線１８を設計してもよい。
・丸レンズ１１の第１の形状としてはＳＶ（シングルビジョン）のＳ度数、Ｃ度数のみがレンズ度数として設定されものでもよく、加入度が設定された累進屈折力レンズであってもよい。
・実施例１や実施例２では鼻側寄りの玉型形状内の稜線１８の平均的な曲率は耳側寄りの玉型形状内の稜線１８の平均的な曲率よりも小さい。それは手段６や手段１８に対応する発想である。そのような平均的曲率の関係があれば耳側寄りの玉型形状内の稜線１８の曲率は例えば図１９のように同じ曲率であってもよい。
・スプライン補完として２４点の座標を基準としたが、これ以上あるいはこれ以下の点
を基準としてもよい。
・上記実施例では４５度付近で稜線１８と玉型は交差するようにしていたが、６０度くらいまで玉型の内方に進出させるようにしてもよい。その際に稜線１８はレンズ使用領域を侵さないことがよい。
・手段１や手段１５のような発明では玉型形状の鼻側寄り内側には面取りしない、つまり稜線１８を鼻側で玉型形状内に通さないような設計も可能である。
・稜線１８の形態としてリング状でなくともよい。玉型形状内において耳側寄りを通過する第１の稜線と、玉型形状内において鼻側寄りを通過する第２の稜線と、いうように別々で構成するようにしてもよい。
・稜線１８の曲率の計算は上記は一例を示したものであり、他の手法であってもよい。
例えば、別の方法として、３点ｐ１〜ｐ３から等距離にある点（ｘｃ、ｙｃ）を想定し、その点から３点までの距離がすべて等しいという条件からｘｃとｙｃに関する連立方程式を作り、それを解くようにすることでもよい。
本願発明は上述した実施の形態に記載の構成に限定されない。上述した各実施の形態や変形例の構成要素は任意に選択して組み合わせて構成するとよい。また各実施の形態や変形例の任意の構成要素と、発明を解決するための手段に記載の任意の構成要素または発明を解決するための手段に記載の任意の構成要素を具体化した構成要素とは任意に組み合わせて構成するとよい。これらについても本願の補正または分割出願等において権利取得する意思を有する。
【符号の説明】
【００４２】
１１、１２…前駆体レンズとしての丸レンズ、１４…レンズ基材としての材料ブロック、１６…レンズ使用領域、１８…稜線、１９…玉型形状の縁。
【図１】
2020161878.tif 000003
【図２】
2020161878.tif 000004
【図３】
2020161878.tif 000005
【図４】
2020161878.tif 000006
【図５】
2020161878.tif 000007
【図６】
2020161878.tif 000008
【図７】
2020161878.tif 000009
【図８】
2020161878.tif 000010
【図９】
2020161878.tif 000011
【図１０】
2020161878.tif 000012
【図１１】
2020161878.tif 000013
【図１２】
2020161878.tif 000014
【図１３】
2020161878.tif 000015
【図１４】
2020161878.tif 000016
【図１５】
2020161878.tif 000017
【図１６】
2020161878.tif 000018
【図１７】
2020161878.tif 000019
【図１８】
2020161878.tif 000020
【図１９】
2020161878.tif 000021
【図２０】
2020161878.tif 000022
【国際調査報告】
2020161878.tif 000023
2020161878.tif 000024
2020161878.tif 000025